(57)【要約】【課題】扉上端などの高い位置に取り付けられた場合でも、扉を任意の開度で保持した状態でロックするための手動ロック操作を容易に行なうことができる扉等開度調整器を提供する。【解決手段】伸縮ステーと、該伸縮ステー内に内蔵された、任意の開度で内挿部材を保持するための保持機構２と、該保持機構を手動でロックするための手動ロック機構とから構成され、前記保持機構が、前記内挿部材の後端の噛合部と、前記外筒の内側面の複数の歯と、前記噛合部を前記歯から離れる方向へ付勢する噛合部付勢手段とからなり、前記手動ロック機構が、前記内挿部材内部に当該内挿部材の長手方向に沿って進退自在に挿通されるスライド部材と、該スライド部材に固着され、前記スライド部材がロック位置へ移動したときに前記噛合部を前記歯と噛合する位置へ押圧する押圧部材と、前記スライド部材をロック位置およびロック解除位置のいずれか一方に位置決めする位置決め手段と、前記スライド部材をロック位置へ引き操作するための線条体とからなる扉等開度調整器。【選択図】図１
2005155221.tif 000002
【特許請求の範囲】
【請求項１】
外筒および該外筒内に進退自在に挿通される内挿部材を有する伸縮ステーと、該伸縮ステー内に内蔵された、任意の開度で前記内挿部材を保持するための保持機構と、該保持機構を手動でロックするための手動ロック機構とからなる扉等開度調整器であって、
前記保持機構が、前記内挿部材の後端側に当該内挿部材の幅方向に移動自在に設けられた噛合部と、前記外筒の内側面に沿って設けられ、前記噛合部と噛合する複数の歯と、前記噛合部を前記外筒の歯から離れる方向へ付勢する噛合部付勢手段とからなり、
前記手動ロック機構が、前記内挿部材内部に当該内挿部材の長手方向に沿って進退自在に挿通されるスライド部材と、該スライド部材に固着され、前記スライド部材がロック位置へ移動したときに前記噛合部を前記歯と噛合する位置へ押圧する押圧部材と、前記スライド部材をロック位置およびロック解除位置のいずれか一方に位置決めする位置決め手段と、前記スライド部材をロック位置へ引き操作するための線条体とからなる扉等開度調整器。
【請求項２】
前記位置決め手段が、
（ａ）前記内挿部材の内面に回転自在に取り付けられた係止部を有する係止体と、
（ｂ）前記スライド部材に設けられた、前記係止体に当接し得る当接体と、
（ｃ）前記スライド部材の前記当接体よりも前方の位置に設けられた、前記係止体の係止部を係止するための突起と、
（ｄ）前記スライド部材をロック解除位置へ付勢する付勢手段とからなる請求項１記載の扉等開度調整器。
【請求項３】
前記位置決め手段が、
（ａ）前記スライド部材に回転自在に取り付けられた係止部を有する係止体と、
（ｂ）前記内挿部材の内面に設けられた、前記係止体に当接し得る当接体と、
（ｃ）前記内挿部材の内面の前記当接体よりも前方の位置に設けられた、前記係止体の係止部を係止するための突起と、
（ｄ）前記スライド部材をロック解除位置へ付勢する付勢手段とからなる請求項１記載の扉等開度調整器。
【請求項４】
前記手動ロック機構が前記保持機構をロックしたことを表示する表示部をさらに備えてなる請求項１、２または３記載の扉等開度調整器。
【請求項５】
前記内挿部材を全開位置にロックするための全開用の保持機構をさらに備えてなる請求項１、２、３または４記載の扉等開度調整器。
【請求項６】
前記外筒および／または内挿部材に波形ワッシャを用いて取付金具が取り付けられてなる請求項１、２、３、４または５記載の扉等開度調整器。
【発明の詳細な説明】
【技術分野】
【０００１】
本発明は扉等開度調整器に関する。さらに詳しくは扉上端などの高い位置に取り付けられた場合でも、扉を任意の開度で保持した状態でロックするための手動ロック操作を容易に行なうことができる扉等開度調整器に関する。
【背景技術】
【０００２】
図１１〜１２に示されるように、従来より、扉を全開または任意の開度で保持するために、伸縮ステー５１を備えた扉等開度調整器が用いられている。伸縮ステー５１は、外筒５４および該外筒５４内に進退自在に挿通される内挿部材５５とから構成されている。伸縮ステー５１を、たとえば、図１１〜１２に示されるように、扉Ｄの上端付近に取り付けることにより、扉Ｄを全開状態で保持することができる。図１１〜１２において、扉ＤはＤ１側が枠部材Ｆに蝶着されており、ブラケットＢ１は枠部材ＦのＤ１寄りにネジなどによって固着されている。ブラケットＢ１に対して、外筒５４の後端部がピンなどによって回転自在に連結されている。一方、内挿部材５５の先端部は、ブラケットＢ２に対して、ピンなどによって回転自在に連結されている。ブラケットＢ２は、扉Ｄの上端付近にネジなどによって固着されている。
【０００３】
また、従来の伸縮ステーを用いた開度調整器として、内挿部材５５を任意の開度で保持するために、内挿部材５５の内側面に連続的に形成された歯と、該歯に係合するために、外筒５４内部に設けられた板バネで付勢された係合部とからなる保持機構を備えた開度調整器が提案されている（特許文献１参照）。
【０００４】
さらに、特許文献１記載の開度調整器は、保持機構を手動でロックするための手動ロック機構を備えており、該手動ロック機構は、前記外筒５４の外周に該外筒５４の長手方向に摺動自在に設けられた筒状の操作部材６３と、該操作部材６３の内面に設けられた、前記板バネの移動を規制するくさびとからなる。この筒状の操作部材を操作して手動ロックすることにより、扉Ｄが突風などの強い力が作用しても、保持機構５２のロックが外れることがなく、扉Ｄを全開位置に安定して保持することができる。
【０００５】
【特許文献１】特開平８−１４７０６６２号公報
【発明の開示】
【発明が解決しようとする課題】
【０００６】
しかし、従来の扉等開度調整器は、図１１〜１２に示されるように、通常、扉Ｄの上端などの比較的高い位置に取り付けられているため、手動ロックを行なう場合に、筒状の操作部材６３を手でスライド操作するのが困難であるという問題がある。したがって、操作部材６３に手が届かないときには、椅子や脚立に登って手動ロック操作をする必要があり、手間がかかる。
【０００７】
本発明はかかる問題を解消するためになされたものであり、扉上端などの高い位置に取り付けられた場合でも、扉を任意の開度で保持した状態でロックするための手動ロック操作を容易に行なうことができる扉等開度調整器を提供することを目的とする。
【課題を解決するための手段】
【０００８】
本発明の扉等開度調整器は、外筒および該外筒内に進退自在に挿通される内挿部材を有する伸縮ステーと、該伸縮ステー内に内蔵された、任意の開度で前記内挿部材を保持するための保持機構と、該保持機構を手動でロックするための手動ロック機構とからなる扉等開度調整器であって、
前記保持機構が、前記内挿部材の後端側に当該内挿部材の幅方向に移動自在に設けられた噛合部と、前記外筒の内側面に沿って設けられ、前記噛合部と噛合する複数の歯と、前記噛合部を前記外筒の歯から離れる方向へ付勢する噛合部付勢手段とからなり、
前記手動ロック機構が、前記内挿部材内部に当該内挿部材の長手方向に沿って進退自在に挿通されるスライド部材と、該スライド部材に固着され、前記スライド部材がロック位置へ移動したときに前記噛合部を前記歯と噛合する位置へ押圧する押圧部材と、前記スライド部材をロック位置およびロック解除位置のいずれか一方に位置決めする位置決め手段と、前記スライド部材をロック位置へ引き操作するための線条体とからなることを特徴としている。
【０００９】
前記位置決め手段が、
（ａ）前記内挿部材の内面に回転自在に取り付けられた係止部を有する係止体と、
（ｂ）前記スライド部材に設けられた、前記係止体に当接し得る当接体と、
（ｃ）前記スライド部材の前記当接体よりも前方の位置に設けられた、前記係止体の係止部を係止するための突起と、
（ｄ）前記スライド部材をロック解除位置へ付勢する付勢手段とからなるのが好ましい。
【００１０】
前記位置決め手段が、
（ａ）前記スライド部材に回転自在に取り付けられた係止部を有する係止体と、
（ｂ）前記内挿部材の内面に設けられた、前記係止体に当接し得る当接体と、
（ｃ）前記内挿部材の内面の前記当接体よりも前方の位置に設けられた、前記係止体の係止部を係止するための突起と、
（ｄ）前記スライド部材をロック解除位置へ付勢する付勢手段とからなるのが好ましい。
【００１１】
前記手動ロック機構が前記保持機構をロックしたことを表示する表示部をさらに備えてなるのが好ましい。
【００１２】
前記内挿部材を全開位置にロックするための全開用の保持機構をさらに備えてなるのが好ましい。
【００１３】
前記外筒および／または内挿部材に波形ワッシャを用いて取付金具が取り付けられてなるのが好ましい。
【発明の効果】
【００１４】
本発明によれば、扉上端などの高い位置に取り付けられた場合でも、手動ロック操作を容易に行なうことができ、扉などを任意の開度に確実に保持することができる。しかも、線条体であるひもの引き操作だけで、手動ロックおよびロック解除を行なうことができるため、操作が非常に容易である。
【発明を実施するための最良の形態】
【００１５】
つぎに、図面を参照しながら、本発明の扉等開度調整器を詳細に説明する。図１は本発明の扉等開度調整器の一実施の形態を示す斜視説明図、図２は図１の内挿部材の要部拡大正面図、図３は図１の外筒の要部拡大正面図、図４は図１のスライド部材の平面図、図５〜８は図１の手動ロック機構の手動ロック操作における押圧部材、噛合部および係止体の動きを示す工程説明図、図９は図１の内挿部材の下面における手動ロック機構のための表示部を示す拡大斜視図、および図１０は図１の外筒の端部における取付金具の連結構造を示す要部分解斜視図である。
【００１６】
図１に示される扉等開度調整器は、伸縮ステー１と、該伸縮ステー１内に内蔵され、任意の開度で伸縮ステー１の内挿部材５を保持するための保持機構２と、該保持機構２を手動でロックするための手動ロック機構とから構成され、手動ロック機構を操作するための線条体であるひも２３が外部へ垂れ下がっている。
【００１７】
伸縮ステー１は、前記従来の伸縮ステー５１と同一の構成であり、外筒４および該外筒４内に進退自在に挿通される内挿部材５とから構成されている。伸縮ステー１は、従来の伸縮ステー５１と同様に、図１１〜１２に示されるように、扉Ｄの上端付近に取り付けることにより、扉Ｄを任意の角度（たとえばほぼ全閉の角度（１５度程度）から全開までの任意の角度）で保持することができる。
【００１８】
なお、図１では外筒４の内部構造を示すために省略されているが、外筒４内部にほこりなどを入りにくくするために、外筒４の開放された上面に蓋を設けるのが好ましい。さらに、内挿部材５内部にほこりなどを入りにくくするために、内挿部材５の開放された上面に蓋を設けるのが好ましい。
【００１９】
保持機構２は、図２に示されるように、内挿部材５の後端側に固着された軸６に対して、当該内挿部材５の幅方向（図２において上下方向）に揺動自在に設けられた噛合部７と、外筒４の内側面に沿って設けられ、噛合部７と噛合する複数の歯８と、噛合部７を外筒４の歯８から離れる方向へ付勢する噛合部付勢手段としての回転バネ（図示せず）とから構成されている。噛合部７を付勢するための回転バネは、噛合部７の下側において、軸６の周囲に配設されている。
【００２０】
噛合部７は、初期状態では回転バネの付勢力により矢印Ｐ方向に付勢されて歯８から離れているが、後述する手動ロック機構の押圧部材２２によって、図２において矢印Ｐとは反対の方向に押圧されたときに任意の位置の歯８とかみ合うことができる。
【００２１】
本実施の形態の手動ロック機構は、図１および図４〜５に示されるように、内挿部材５内部に当該内挿部材５の長手方向に沿って進退自在に挿通されるスライド部材２１と、該スライド部材２１に固着され、前記スライド部材２１がロック位置へ移動したときに前記保持機構２の噛合部７を前記外筒４の歯８と噛合する位置へ押圧する押圧部材２２と、スライド部材２１をロック位置およびロック解除位置のいずれか一方に位置決めする位置決め手段３０と、前記スライド部材２１をロック位置へ引き操作するための線条体であるひも２３とから構成されている。
【００２２】
スライド部材２１は、薄肉の鋼板などから作製され、後端部に押圧部材２２が固着され、先端部にひも２３を係止するための係止部２４が設けられている。また、スライド部材２１の中央部には、後述する位置決め手段の当接体２７および突起２８が形成されたスリット２５が形成されている。
【００２３】
ひも２３の材質としては、通常、ポリエステルなどの合成繊維を主体とするものが好ましい。また、ひも２３に代わる線条体として、ワイヤやチェーンなどを用いることもできる。ひも２３の長さは本発明において限定されるものではないが、通常、１０〜５０ｃｍ程度である。また、本実施の形態では、図１および図９に示されるように、ひも２３が直接内挿部材５に接触して磨耗や損傷が生じないように、保護ガイド２９が、内挿部材５の先端部に設けられている。保護ガイド２９の材質は、本発明においてとくに限定されるものではないが、ひも２３がすべりやすい材料、たとえばＡＢＳ、ポリエステルなどの合成樹脂で作製するのが好ましい。
【００２４】
本実施の形態の開度調整器によれば、図１に示されるように、調整器からたれ下がっているひも２３を１回引くと、位置決め手段によって、スライド部材２１をロック位置（図７参照）へ位置決めし、押圧部材２２が噛合部７を歯８にかみ合わせた状態で保持することにより、扉を任意の開度位置で確実に手動でロックすることができる。そして、もう１回ひも２３を引くと、位置決め手段によって、スライド部材２１および押圧部材２２をロック解除位置へ移動させ、噛合部７と歯８との噛合は解除され、扉を自由に閉めたり、さらに扉を広く開けることもできる。
【００２５】
本発明の位置決め手段は、ひも２３の引き操作だけでスライド部材２１をロック位置および規制解除位置に選択的に移動させることができるものであれば、いかなる構造のものを採用することができる。
【００２６】
たとえば、図１および図４〜５に示されるスライド部材２１のための位置決め手段３０は、内挿部材５の内側底面に回転自在に取り付けられた係止部２６ａを有する係止体２６と、スライド部材２１のスリット２５の内周縁に設けられた、前記係止体２６に当接し得る当接体２７と、前記スライド部材２１のスリット２５の内周縁において当接体２７よりも前方の位置に設けられた、前記係止体２６の係止部２６ａを係止するための突起２８と、前記スライド部材２１をロック解除位置へ付勢する付勢手段（図示せず）とから構成されている。
【００２７】
スライド部材２１をロック解除位置へ付勢する付勢手段としては、内挿部材５内部に設けられた圧縮コイルバネなどを採用することができる。
【００２８】
図４〜５に示されるスライド部材２１のための位置決め手段３０は、ひも２３の引き操作のみによって、スライド部材２１をロック位置および規制解除位置のいずれかに容易かつ確実に位置決めすることができる。具体的な動作を、以下、図５〜８を用いて説明する。
【００２９】
まず、図５に示される初期状態では、スライド部材２１および押圧部材２２はロック解除位置（図５において左へ寄った位置）にある。この状態では、内挿部材５はロックされていないため、扉を自由に開閉することができる。
【００３０】
扉を任意の開度でロックさせたい場合、図５に示される初期状態から前記ひも２３を引くと、図６に示されるように、スライド部材２１が付勢手段の付勢力に抗しながら図６において右方向へ移動する。このとき、係止体２６の係止部２６ａが当接体２７に当接して係止体２６は反時計方向に回転し、それとともに押圧部材２２が噛合部７を外筒４の歯８の方へ押圧し、噛合部７と歯８とが噛合したロック状態になる。
【００３１】
ついで、ひも２３を引くのを止めると、前記付勢手段の復元力により、図７に示されるように、スライド部材２１が少しだけ図７において左方向へ移動し、係止体２６の係止部２６ａが突起２８に係合する。その結果、スライド部材２１は、図７に示されるロック位置に位置決めすることができ、噛合部７と歯８とが噛合したロック状態で保持される。
【００３２】
そののち、ひも２３をもう１回引くと、図８に示されるように、係止体２６の側面に当接体２７が当接することにより、さらに係止体２６が反時計方向に回転する。そして、ひも２３を引くのを止めると、前記付勢手段の復元力により、再び、図５に示されるように、初期のロック解除位置に戻り、それとともに、噛合部７は回転バネの復元力により時計方向へ揺動して歯８から離れる。
【００３３】
なお、本実施の形態では、位置決め手段として、内挿部材５に回転自在の係止体２６を設け、スライド部材２１に当接体２７および突起２８を設けた例を示しているが、反対の配置として、内挿部材５に当接体２７および突起２８を設け、スライド部材２１に回転自在の係止体２６を設けた位置決め手段を採用してもよい。
【００３４】
たとえば、本発明の他の実施の形態として、スライド部材に回転自在に取り付けられた係止部を有する係止体と、前記内挿部材の内面に設けられた、前記係止体に当接し得る当接体と、前記内挿部材の内面の前記当接体よりも前方の位置に設けられた、前記係止体の係止部を係止するための突起と、前記スライド部材をロック解除位置へ付勢する付勢手段とからなる位置決め手段を採用してもよい。
【００３５】
また、本実施の形態では、図９に示されるように、手動ロック機構が保持機構２をロックしたことを表示する表示部３１が内挿部材５の下面に設けられているため、扉上端に設けられた開度調整器がロックされているか否かを容易に目で確認することができる。表示部３１は、たとえば赤色など目立つ色の塗料を内挿部材５の下面に塗布したもの、または目立つ色に着色されたシールなどからなり、内装部材５の下面には、ロック位置のときの表示部３１を外部に露出させるための開口３２が形成されている。したがって、ひも２３を引いて、内挿部材５がロック位置まで移動したとき、開口３２を通して表示部３１を見ることによって、容易にロックされているかどうかを確認することができる。
【００３６】
さらに、本実施の形態では、図２〜３に示されるように、内挿部材５を全開位置にロックするための全開用の保持機構１０をさらに備えている。全開用の保持機構１０は、内挿部材５の後部に固着された軸１１に対して、一端が揺動自在に設けられたアーム１２と、該アーム１２の他端にかしめなどにより固着された軸１３と、軸１３に回転自在に設けられた回転部材１４と、前記外筒４の先端側の内側面に設けられた歯１５とから構成されている。軸１３および回転部材１４によって、歯１５との噛合部を構成している。歯１５の高さは、回転部材１４の半径より低いため、回転部材１４は比較的容易に歯１０を乗りこえることができる。前記アーム１２は、回転バネ２０によって、常時矢印Ｑ方向（図２参照）に付勢され、それにより、回転部材１４は内挿部材５の内側面５ａ（図２参照）に常時接触している。
【００３７】
全開用の保持機構１０では、扉Ｄを全開に開けて内挿部材５のほぼ全体が外筒４から引き出されたとき、図２〜３に示されるように、回転部材１４は、歯１５を乗り越えて歯１５およびガイド部材１６のあいだの谷部１７に係止される。それにより、内挿部材５および扉Ｄは、全開位置に保持される。反対に、扉Ｄの全開状態を解除する場合には、やや強く扉Ｄを閉めれば、回転部材１４が歯１５を乗り越えて、全開状態は解除される。
【００３８】
また、図１〜２に示されるように、外筒４の先端側には、内挿部材５のすべりをよくするためのガイド部材１６が設けられている。さらに、前記内挿部材５の後端には、たとえばＡＢＳ、ポリエステルなどの合成樹脂からなるブレーキ部１７が固着され、ブレーキ部３３が外筒４の内側面などに摩擦接触することにより、内挿部材５の移動速度を減速させることができる。
【００３９】
また、図１〜２の内挿部材５の後端部には当接片１８が設けられ、一方、外筒４の内部には段差部１９が設けられている。かかる当接片１５は、全開時においては、段差部１９に当接することにより、内挿部材５が外筒４から抜けるのを防止する。それとともに全開時の衝撃を集中的に受けることにより、他の部分（とくに、回転部材１４）の破損を防止することができる。
【００４０】
前記ガイド部材１６の材質は、本発明においてとくに限定されるものではないが、内挿部材５がすべりやすい材料、たとえばＡＢＳ、ポリエステルなどの合成樹脂によって作製するのが好ましい。
【００４１】
さらに、図１０に示されるように、外筒４（または内挿部材５）の端部には、扉または戸枠に固着するための取付金具３５が、リベットピン３６を用いて回転自在に連結されている。たとえば、図１０に示される外筒４の先端部の貫通孔と同軸上になるように、円筒状スペーサ３７、外蓋３８、ワッシャ３９、取付金具３５、後述する波形ワッシャ４０およびワッシャ４１のそれぞれの貫通孔の位置を合わせながら順次重ね合わせたのち、リベットピン３６によって回転自在に締結されている。
【００４２】
ここで、外筒４および取付金具３５は、リベットピン３６まわりに円滑に回転できるように、それぞれの貫通孔の内周面とリベットピン３６の外周面とのあいだに若干の隙間をあけている。そのため、扉を開けた状態のときに、外筒４（または内挿部材５）と取付金具３５とのあいだでがたつきや振動が発生する場合がある。そこで、本実施の形態では、リベットピン３６で締結する際に、波状に湾曲した波形ワッシャ４０をたとえば取付金具３５とワッシャ４１とのあいだに挟むことにより、当該波形ワッシャ４０の復元力によって外筒４および取付金具３５をリベットピン３６の軸方向に沿って付勢させている。それにより、外筒４および取付金具３５と、隣接する部材とのあいだにおける摩擦抵抗が増加し、その結果、外筒４と取付金具３５とのあいだのがたつきを防止することができる。なお、波形ワッシャ４０の取付け位置は、本発明においてとくに限定されるものではなく、外筒４と円筒状スペーサ３７とのあいだなどの任意の位置に挟むことができ、これによりがたつきを防止することができる。また、図示していないが、内挿部材５と取付金具とのあいだの連結部分にも波形ワッシャを用いればがたつきや振動を防止することができる。
【００４３】
なお、本発明の扉等開度調整器の取り付ける対象の一例として、扉を例にあげて説明したが、本発明はこれに限定されるものではなく、扉、窓、またはその他全開を含む任意の角度で保持する必要がある建具または家具などに適用することができる。
【図面の簡単な説明】
【００４４】
【図１】本発明の扉等開度調整器の一実施の形態を示す斜視説明図である。
【図２】図１の内挿部材の要部拡大正面図である。
【図３】図１の外筒の要部拡大正面図である。
【図４】図１のスライド部材の平面図である。
【図５】図１の手動ロック機構の手動ロック操作における押圧部材、噛合部および係止体の動きを示す工程説明図である。
【図６】図１の手動ロック機構の手動ロック操作における押圧部材、噛合部および係止体の動きを示す工程説明図である。
【図７】図１の手動ロック機構の手動ロック操作における押圧部材、噛合部および係止体の動きを示す工程説明図である。
【図８】図１の手動ロック機構の手動ロック操作における押圧部材、噛合部および係止体の動きを示す工程説明図である。
【図９】図１の内挿部材の下面における手動ロック機構のための表示部を示す拡大斜視図である。
【図１０】図１の外筒の端部における取付金具の連結構造を示す要部分解斜視図である。
【図１１】従来の扉等開度調整器が取り付けられた扉の閉状態を示す概略正面図である。
【図１２】図１１の扉の開状態を示す概略正面図である。
【符号の説明】
【００４５】
１  伸縮ステー
２  保持機構
３  位置決め手段
２１  スライド部材
２３  ひも
【図１】
2005155221.tif 000003
【図２】
2005155221.tif 000004
【図３】
2005155221.tif 000005
【図４】
2005155221.tif 000006
【図５】
2005155221.tif 000007
【図６】
2005155221.tif 000008
【図７】
2005155221.tif 000009
【図８】
2005155221.tif 000010
【図９】
2005155221.tif 000011
【図１０】
2005155221.tif 000012
【図１１】
2005155221.tif 000013
【図１２】
2005155221.tif 000014